(57)【要約】【課題】基板上に形成され、開放されたパターンによりエレメントが形成されたアンテナ装置及び電子装置に関し、小型、薄型化でき、実装を容易に行えるアンテナ装置及び電子装置を提供することを目的とする。【解決手段】本発明は、誘電体上に搭載された導電材によりエレメントが構成されるアンテナ装置であって、誘電体は、フィルム状の基板から構成されていることを特徴とする。【選択図】図３
2008187741.tif 000002
【特許請求の範囲】
【請求項１】
誘電体上に搭載された導電材によりエレメントが構成されるアンテナ装置であって、
前記誘電体は、フィルム状の基板から構成されていることを特徴とするアンテナ装置。
【請求項２】
前記基板は、可撓性を有することを特徴とする請求項１記載のアンテナ装置。
【請求項３】
前記エレメントは、エレメントパターンとグランドパターンとを有するモノポールアンテナから構成されたことを特徴とする請求項１記載のアンテナ装置。
【請求項４】
前記基板は、高誘電率、低誘電損の材料から構成されたことを特徴とする請求項１記載のアンテナ装置。
【請求項５】
前記基板は、前記エレメントパターンに接続する第１の接続パターンと前記グランドパターンに接続する第２の接続パターンと、
外部回路に接続する接続パターンが形成された接続部とを有することを特徴とする請求項３又は４記載のアンテナ装置。
【請求項６】
前記接続部は、コネクタに係合することを特徴とする請求項５記載のアンテナ装置。
【請求項７】
前記接続部は、前記第１の接続パターンに同軸ケーブルの芯線が半田付けされ、前記第２の接続パターンに該同軸ケーブルのシールド材が半田付けされることを特徴とする請求項５又は６記載のアンテナ装置。
【請求項８】
前記基板は、可撓性を有し、前記グランドパターンが形成される第１の基材と、
可撓性を有し、前記エレメントパターンが形成される第２の基材とを有し、
前記第１の基材と前記第２の基材とを接着して一体に構成されたことを特徴とする請求項５乃至７のいずれか一項記載のアンテナ装置。
【請求項９】
前記基板上のストリップ線路のインピーダンスが所望のインピーダンスとなるように、前記基材の厚さ、及び／又は、該ストリップ線路の線幅が設定されたことを特徴とする請求項１乃至８のいずれか一項記載のアンテナ装置。
【請求項１０】
前記基板は、前記グランドパターンと前記エレメントパターンとが角度を持つよう折曲して配設されることを特徴とする請求項２記載のアンテナ装置。
【請求項１１】
前記エレメントは、ダイポールアンテナを構成することを特徴とする請求項１記載のアンテナ装置。
【発明の詳細な説明】
【技術分野】
【０００１】
本発明はアンテナ装置に係り、特に、基板上に形成され、開放されたパターンによりエレメントが形成されたアンテナ装置に関する。
【背景技術】
【０００２】
近年、レーダー測位や大伝送容量の通信が可能であることからＵＷＢ（ultra-wide  band）を利用した無線通信技術が注目されている。ＵＷＢは、２００２年に米国ＦＣＣ（federal  communication  commission）により周波数帯域が３．１〜１０．６ＧＨｚでの使用が認可された。
【０００３】
ＵＷＢは、パルス信号を超広帯域で通信を行う通信方式である。このため、ＵＷＢに用いられるアンテナには超広帯域で送受信が可能な構造が求められている。
【０００４】
少なくともＦＣＣで認可された３．１〜１０．６ＧＨｚの周波数帯域での使用を目的としたアンテナとして、地板と給電体から構成されたアンテナが提案されている（非特許文献１）。
【０００５】
図１は従来のアンテナ装置の一例の構成図、図２は従来のアンテナ装置の一例のブロック構成図を示す。
【０００６】
図１（Ａ）に示すアンテナ装置１０は地板１１上に、円錐を反転させた形状の給電体１２を配置した構成とされている。
【０００７】
なお、給電体１２を構成する円錐は、その側面が地板１１の表面に対して角度θとなるように設定されている。この角度θによって所望能特性が得られる。
【０００８】
図１（Ｂ）に示すアンテナ装置２０は地板１１上に、円錐体２２ａとそれに内接する球体２２ｂとから構成される涙滴状の給電体２２を配置した構成とされている。
【０００９】
このとき、アンテナ装置１０、２０の給電体１２は、図２に示すようにフィルタ３１に接続されている。フィルタ３１は、給電体１２で受信した電波のうち、所望の周波数帯域の成分を抽出する。フィルタ３１で抽出された成分は、送受信ユニット３２に供給される。送受信ユニット３２は、受信電波の前処理或いは後処理となる信号処理を行う。
【００１０】
従来の広帯域アンテナ装置は、平板状の地板上に円錐形状又は涙滴形状の給電体を配置した構成であるので、大型であり、小型化、薄型化が望まれていた。
【００１１】
一方、低周波数帯域の通信におけるループアンテナでは、フレキシブル基板上に導電パターンによりエレメントを形成したアンテナ装置が提案されている（特許文献１参照）。
【特許文献１】特開２０００−１９６３２７号公報
【非特許文献１】２００３年  電子情報通信学会  B-1-133  FCC認可UWB周波数帯の水平面内無指向性・低VSWRアンテナ、谷口琢也・小林岳彦（東京電機大）（３月22日発表  B201教室）
【発明の開示】
【発明が解決しようとする課題】
【００１２】
しかるに、従来の超広帯域アンテナ装置は、平板状の地板上に円錐形状又は涙滴形状の給電体を配置した構成であり、大型であり、電子装置などに容易に実装できず、よって、ループアンテナなどのように小型化、薄型化が望まれていた。
【００１３】
本発明は上記の点に鑑みてなされたもので、小型、薄型化でき、実装を容易に行えるアンテナ装置を提供することを目的とする。
【課題を解決するための手段】
【００１４】
本発明のアンテナ装置は、基板上に形成され、開放されたパターンによりエレメントが形成されたアンテナ装置において、基板は、可撓性を有する基材から構成されたことを特徴とする。また、エレメントは、エレメントパターンとグランドパターンとを有するモノポールアンテナから構成されたことを特徴とする。
【発明の効果】
【００１５】
本発明のアンテナ装置によれば、基板上に形成され、開放されたパターンによりエレメントが形成されたアンテナ装置を基板に可撓性を有する基材から構成することにより、エレメントを必要に応じて折曲できるため、小型、薄型化でき、実装を容易に行える等の特長を有する。
【発明を実施するための最良の形態】
【００１６】
〔アンテナ装置１００〕
図３は本発明の一実施例のシステム構成図を示す。
【００１７】
本実施例のアンテナ装置１００は、アンテナ部１１１及び回路部１１２から構成されている。
【００１８】
アンテナ部１１１は、フレキシブルプリント配線板１２１上に導電パターン１２２を形成した構成とされている。回路部１１２は、プリント配線板１３１上に電子部品１３２を搭載した構成とされており、電子部品１３２及び配線パターンによって、超広帯域（ＵＷＢ；ultra  wide  band）の信号を処理するための処理回路が構成されている。また、回路部１１２は、プリント配線板１３１上にＦＰＣコネクタ１３３が形成されている。ＦＰＣコネクタ１３３には、アンテナ部１１１がコネクトされる。回路部１１２には、アンテナ部１１１によって、送信或いは受信した信号を処理する。
【００１９】
〔アンテナ部１１１〕
図４はアンテナ部１１１の斜視図を示す。
【００２０】
本実施例のアンテナ部１１１は、フレキシブルプリント配線板１２１上にアルミニウムや銅などの導電材によりエレメントパターン１４１及びグランドパターン１４２並びにストリップライン１４３をパターニングして形成した構成とされている。
【００２１】
フレキシブルプリント配線板１１１は、ＰＥＴ、ポリイミド、ＦＲ−４などの樹脂材料を板厚略０．１ｍｍ以下として、可撓性を有する構成とされている。
【００２２】
エレメントパターン１４１は、アルミニウム、銅などの導電材料を、フレキシブルプリント配線板１１１の矢印Ｙ１方向側、矢印Ｚ１方向側の面に、略ホームベース形状に形成した構成とされている。なお、エレメントパターン１４１は、例えば、涙滴状のエレメントの縦断面の先端と両側をカットした形状である。
【００２３】
グランドパターン１４２は、アルミニウム、銅などの導電材料を、フレキシブルプリント配線板１１１の矢印Ｚ２方向側の面の矢印Ｙ２方向側の半面全体に形成した構成とされている。
【００２４】
ストリップライン１４３は、アルミニウム、銅などの導電材料から構成され、フレキシブルプリント配線板１１１の矢印Ｚ１方向側の面の矢印Ｙ２方向側半面の略中央を矢印Ｙ２方向にパターンニングされている。ストリップライン１４３の一端はエレメントパターン１２２に接続され、他端はフレキシブルプリント配線板１２１の矢印Ｙ２方向の端部に形成された接続部１５１に接続されている。なお、ストリップライン１１４の幅及びフレキシブルプリント配線板の厚さは、特性インピーダンスが略５０Ωとなるように設定されている。例えば、フレキシブルプリント配線板の厚さが厚くなるとストリップライン１４３の幅を太くし、フレキシブルプリント配線板の厚さが薄くなるとストリップライン１４３の幅を細くするように設定されている。さらに、具体的に言うと基材であるフレキシブルプリント配線板１２１の厚さを０．０８ｍｍ〜０．１４ｍｍ程度とすると、ストリップライン１４３の線幅は略２００μｍ程度となる。
【００２５】
接続部１５１は、フレキシブルプリント配線板１２１の矢印Ｙ２方向端面から矢印Ｙ２方向に突出して設けられている。
【００２６】
接続部１５１のフレキシブルプリント配線板１２１の矢印Ｚ１方向側の面には接続パッド１５２が形成されており、矢印Ｚ２方向側の面には接続パッド１５３が形成されている。接続パッド１５２は、ＦＰＣコネクタ１３３の上部、矢印Ｚ１方向の端子に接触し、接続パッド１５３は、ＦＰＣコネクタ１３３の下部、矢印Ｚ２方向の端子に接触する。ＦＰＣコネクタ１３３の上下端子は、プリント配線板１３１の配線パターンに半田付けされており、アンテナ部１１１のエレメントパターン１４１とプリント配線板１３１上に搭載された処理回路とで信号のやり取りを行うとともに、グランドパターン１４２をグランドレベルにする。
【００２７】
アンテナ部１１１は、基材としてフレキシブルプリント配線板１２１から構成されているため、例えば、図４に破線で示すように折曲させることが可能となる。このとき、図４に破線で示すようにエレメントパターン１４１をグランドパターン１４２に対して角度を持つように折曲することにより、エレメントパターン１４１とグランドパターン１４２とを平面上に配置する場合に比べてＶＳＷＲ、損失、指向性などの各種特性を向上させることが可能となる。
【００２８】
〔アンテナ部１１１の取付構造〕
なお、本実施例では、ＦＰＣコネクタ１３３を用いてアンテナ部１１１のプリント配線板１３１への接続を行ったが、これに限定されるものではない。
【００２９】
〔第１変形例〕
例えば、アンテナ部１１１の接続部をプリント配線板１３１の接続パターンに直接半田付けするようにしてもよい。
【００３０】
図５はアンテナ部１１１の第１変形例の斜視図、図６は第１変形例の接続状態を説明するための図を示す。同図中、図３、図４と同一構成部分には同一符号を付し、その説明は省略する。
【００３１】
本実施例のアンテナ部２１１は、接続部２１２の構成がアンテナ部１１１とは相違する。本実施例の接続部２１２は、第１の接続部２２１及び第２の接続部２２２から構成されている。
【００３２】
第１の接続部２２１は、フレキシブルプリント配線板１２１の矢印Ｙ２方向の端部のストリップライン１４３の延長上に、フレキシブルプリント配線板１２１の矢印Ｙ２方向端部から矢印Ｙ２方向に突出して形成されている。第１の接続部２２１には、矢印Ｚ１方向側の面に接続パッド２３１が形成されている。接続パッド２３１は、ストリップライン１４３の矢印Ｙ２方向の端部に接続されている。
【００３３】
第２の接続部２２２は、フレキシブルプリント配線板１２１の矢印Ｙ２方向の端部に第１の接続部２２１の矢印Ｘ２方向側に隣接して、フレキシブルプリント配線板１２１の矢印Ｙ２方向の端部から矢印Ｙ２方向に突出して形成されている。第２の接続部２２２には、矢印Ｚ２方向側の面に接続パッド２３２が形成されている。接続パッド２３２は、グランドパターン１４２に接続されている。
【００３４】
アンテナ部２１１が半田付けされるプリント配線板１３１には、第１の接続パッド２４１及び第２の接続パッド２４２が形成されている。第１の接続パッド２４１は、プリント配線板１３１の矢印Ｚ１方向側の面の第１の接続部２２１に対応する位置に形成されている。また、第２の接続パッド２４２は、プリント配線板１３１の矢印Ｚ２方向側の面の第２の接続部２２２に対応する位置に形成されている。図６（Ａ）に示すようにアンテナ部２１１の第１の接続部２２１を矢印Ｚ１方向に折曲し、第２の接続部２２２を矢印Ｚ２方向に折曲して、プリント配線板１３１を挟持する。このとき、第１の接続部２２１がプリント配線板１３１の第１の接続パッド２４１に対向し、第２の接続部２２２がプリント配線板１３１の第２の接続パッド２４２に対向するように位置決めされる。
【００３５】
次に、第１の接続部２２１の接続パッド２３１とプリント配線板１３１の第１の接続パッド２４１とを矢印Ｚ１方向側の面で半田付けし、第２の接続部２２２の接続パッド２３２とプリント配線板１３１の第２の接続パッド２４２とを矢印Ｚ２方向側の面で半田付けする。
【００３６】
以上により、プリント配線板１３１にアンテナ部２１１が接続される。
【００３７】
〔第２変形例〕
なお、第１変形例では、プリント配線板１３１の両面で半田付けを行い、アンテナ部２１１をプリント配線板１３１に半田付けしたが、これに限定されるものではなく、プリント配線板１３１の片面に半田付けするようにしてもよい。
【００３８】
図７はアンテナ部１１１の第２変形例の斜視図、図８は第２変形例の接続状態を説明するための図を示す。同図中、図３、図４と同一構成部分には同一符号を付し、その説明は省略する。
【００３９】
本実施例のアンテナ部３１１は、接続部３１２の構成がアンテナ部１１１とは相違する。本実施例の接続部３１２は、第１の接続部３２１及び第２の接続部３２２から構成されている。
【００４０】
第１の接続部３２１は、フレキシブルプリント配線板１２１の矢印Ｙ２方向の端部のストリップライン１４３の延長上に、フレキシブルプリント配線板１２１の矢印Ｙ２方向端部から矢印Ｙ２方向に突出して形成されている。第１の接続部３２１には、矢印Ｚ１方向側の面に接続パッド３３１が形成されている。接続パッド３３１は、ストリップライン１４３の矢印Ｙ２方向の端部に接続されている。なお、このとき、第１の接続部３２１は、矢印θ方向にねじることによって、その表裏が反転させることができる程度の長さに設定されている。
【００４１】
第２の接続部３２２は、フレキシブルプリント配線板１２１の矢印Ｙ２方向の端部に第１の接続部３２１の矢印Ｘ２方向側に隣接して、フレキシブルプリント配線板１２１の矢印Ｙ２方向の端部から矢印Ｙ２方向に突出して形成されている。第２の接続部３２２には、矢印Ｚ２方向側の面に接続パッド３３２が形成されている。接続パッド３３２は、グランドパターン１４２に接続されている。
【００４２】
アンテナ部３１１が半田付けされるプリント配線板１３１には、第１の接続パッド３４１及び第２の接続パッド３４２が形成されている。第１の接続パッド３４１は、プリント配線板１３１の矢印Ｚ１方向側の面の第１の接続部３２１に対応する位置に形成されている。また、第２の接続パッド３４２は、プリント配線板１３１の矢印Ｚ１方向側の面の第２の接続部３２２に対応する位置に形成されている。図８（Ａ）に示すようにアンテナ部３１１の第１の接続部３２１をプリント配線板１３１の第１の接続パッド３４１に対向するように配置し、第２の接続部３２２を矢印θ１方向にねじりプリント配線板１３１の第２の接続パッド３４２に対向するように配置する。
【００４３】
次に、第１の接続部３２１の接続パッド３３１とプリント配線板１３１の第１の接続パッド３４１とを矢印Ｚ１方向側の面で半田付けし、第２の接続部３２２の接続パッド３３２とプリント配線板１３１の第２の接続パッド３４２とを矢印Ｚ２方向側の面で半田付けする。
【００４４】
以上により、プリント配線板１３１の片面でアンテナ部３１１を半田付けできる。
【００４５】
〔第３変形例〕
なお、上記実施例では、アンテナ部１１１をプリント配線板１３１に直接半田付けしたが、同軸ケーブルを介して接続するようにしてもよい。
【００４６】
図９はアンテナ部１１１の第３変形例の斜視図、図１０は第３変形例の接続状態を説明するための図を示す。同図中、図３、図４と同一構成部分には同一符号を付し、その説明は省略する。
【００４７】
本実施例のアンテナ部４１１は、接続部４１２の構成がアンテナ部１１１とは相違する。本実施例の接続部４１２は、フレキシブルプリント配線板１２１の矢印Ｙ２方向の端部のストリップライン１４３の延長上に、フレキシブルプリント配線板１２１の矢印Ｙ２方向端部から矢印Ｙ２方向に突出して形成されている。接続部４１２には、矢印Ｚ１方向側の面に接続パッド４３１が形成されている。接続パッド４３１は、スルーホール４４１を通して矢印Ｚ２方向側でグランドパターン１４２に接続されている。
【００４８】
なお、ストリップライン１４３は、接続部４１２の手前に設けられた接続パッド４５１に接続されている。
【００４９】
図１０（Ａ）に示すように同軸ケーブル４６１は、シールド４６２が接続パッド４３１上に搭載され、芯線４６３が接続パッド４５１上に位置決めされ、図１０（Ｂ）に示すように半田付けされる。これによって、同軸ケーブル４６１の芯線４６３が接続パッド４５１に接続され、シールド４６２が接続パッド４３１に半田付けされて、接続される。
【００５０】
〔第４変形例〕
なお、上記実施例では、接続パッド４３１にシールド４６２を半田付けすることにより、同軸ケーブル４６１をアンテナ部４１１に接続したが、接続部４１２の裏面側からグランドパターン１４２に直接半田付けするようにしてもよい。
【００５１】
図１１はアンテナ部１１１の第４変形例の斜視図、図１２は第４変形例の接続状態を説明するための図を示す。同図中、図９、図１０と同一構成部分には同一符号を付し、その説明は省略する。
【００５２】
本実施例のアンテナ部５１１は、接続部５１２の構成がアンテナ部１１１とは相違する。本実施例の接続部５１２は、フレキシブルプリント配線板１２１の矢印Ｙ２方向の端部のストリップライン１４３の延長上に、フレキシブルプリント配線板１２１の矢印Ｙ２方向端部から矢印Ｙ２方向に突出して形成されている。接続部５１２には、貫通穴５２１が形成されている。貫通穴５２１は、フレキシブルプリント配線板１２１の矢印Ｚ１方向側の面と矢印Ｚ２方向側の面とを貫通する穴である。接続部５１２の矢印Ｚ２方向側の面の貫通穴５２１の周囲には、グランドパターン１４２に接続された接続パッド５３１が形成されている。
【００５３】
図１２（Ａ）に示すように同軸ケーブル４６１は、シールド４６２が貫通穴５３１上に搭載され、芯線４６３が接続パッド４５１上に位置決めされる。シールド４６２は、接続部５１２の矢印Ｚ２方向側の面から接続パッド５３１が貫通穴５２１を通して半田付けされる。芯線４６３は、矢印Ｚ１方向側の面で、接続パッド４５１に半田付けされる。これによって、同軸ケーブル４６１が芯線４６３が接続パッド４５１に接続され、シールド４６２が接続パッド５３１に半田付けされて、接続される。
【００５４】
〔第５変形例〕
図１３はプリント配線板１２１の構成図を示す。
【００５５】
また、本実施例では、図１３（Ａ）に示すようにプリント配線板１２１の一層の基材６１１を一層としたが、図１３（Ｂ）に示すように２層基材６２１，６２２を接着剤６２３により接着するようにしてもよい。このような構成とすることにより、エレメントパターン１４１とグランドパターン１４２との間隙を大きくできるため、ストリップライン１４３の線幅を広げることができ、よって、断線などを防止できる。
【００５６】
また、図１３（Ｃ）に示すようにエレメントパターン１４１とグランドパターン１４２とを基材６３１と基材６３２との間にエレメントパターン１４１を設け、基材６３２と基材６３３との間にグランドパターン１４２を設けるようにしてもよい。このとき、図１３（Ｃ）に示すように表面実装電子部品６３４を表面搭載するようにしてもよい。
【００５７】
さらに、図１３（Ｄ）に示すようにエレメントパターン１４１を基材６３１の表面側に設け、グランドパターン１４２を基材６３２と基材６３３との間に設け、基材６３１と基材６３２との間に電源パターン６３４などを挟持する構成としてもよい。さらに、基材６３３の表面側に表面実装部品を搭載する構成も考えられる。
【００５８】
〔適用例〕
図１４は本発明の一実施例のアンテナ装置の適用例のシステム構成図を示す。
【００５９】
本実施例のアンテナ装置１１１は、パーソナルコンピュータ７１１のキーボード７１２、マウス７１３などのヒューマンインターフェースデバイスなどへの適用が考えられる。
【００６０】
キーボード７１２、マウス７１３は、通信ユニット７１４と無線通信を行う。また、通信ユニット７１４は、ケーブル７１５によりコンピュータ本体７１６に接続されている。さらに、コンピュータ本体７１６は、ディスプレイ７１７に接続されている。
【００６１】
図１５はキーボード７１２の構成図、図１６はアンテナ装置１１１の実装状態を示す図である。
【００６２】
キーボード７１２の筐体７２１の内部にフレキシブルプリント配線板１２１上に電子部品７２２を実装したタイプのアンテナ部７２３を筐体７２１の内側面に沿って折曲させて、内蔵することができる。このとき、アンテナ部７２３をねじ７３１などによりスペーサ７３２などを介して筐体７２１に固定するだけで、筐体７２１に沿って折曲させることが可能となり、組み付け性よく、実装することが可能となる。
【００６３】
図１７はマウス７１３の構成図を示す。
【００６４】
本実施例のアンテナ装置１００によれば、アンテナ部１１１がフレキシブルプリント配線板１２１により形成されているので、図１７に示すように筐体７３１の内面に沿って搭載することができ、容易に搭載が可能となる。
【００６５】
〔その他〕
なお、本実施例では、モノポールタイプのアンテナを例に説明を行ったが、ダイポールタイプの超広帯域アンテナに対しても適用可能である。
【００６６】
図１８はダイポールタイプのアンテナ装置の構成図を示す。
【００６７】
ダイポールタイプのアンテナ装置８００は、第１のエレメントパターン８１１とそれを接続パッド８１２に接続するためのストリップライン８１３及び第２のエレメントパターン８２１とそれを接続パッド８２２に接続するためのストリップライン８２３とをフレキシブルプリント配線板８３１上に形成した構成とされている。
【００６８】
ダイポールタイプのアンテナ装置８００でもモノポールタイプのアンテナ装置１００などと同様な作用効果を奏することが可能となる。
【００６９】
〔実装方法〕
次に、アンテナ装置をマウス、キーボード、携帯電話機などの電子装置に実装するときの実装方法について説明する。
【００７０】
〔第１実装例〕
図１９は第１実装例の分解斜視図、図２０は第１実装例の断面図を示す。
【００７１】
本実装例の電子機器１１００は、筐体１１１１、１１１２、回路基板１１１３、アンテナ装置１１１４、同軸ケーブル１１１５から構成されている。
【００７２】
筐体１１１１、１１１２は、樹脂などをモールド成形した構成とされており、組み合わせることにより収納部１１２１が形成される。収納部１１２１には、回路基板１１１３が収納される。回路基板１１１３は、プリント配線板１１３１上に電子部品１１３２を搭載した構成とされている。
【００７３】
アンテナ装置１１１４は、前述のアンテナ装置１００など同様にフレキシブルプリント配線板に導電パターンによりエレメントパターン及びグランドパターンを形成した構成とされており、薄型に構成できるため、筐体１１１１にインサート成形することができる。筐体１１１１に一体化されている。アンテナ装置１１１４は、筐体１１１１に形成された開口部１１５１からマイクロラインの先端が露出しており、同軸ケーブル１１１５により、回路基板１１１３に接続されている。
【００７４】
同軸ケーブル１１１５は、一端がアンテナ装置１１１４に接続され、他端が回路基板１１１３に接続されている。アンテナ装置１１１４と同軸ケーブル１１１５との接続は、例えば、図９、図１０に示す実施例の第３変形例、図１１、図１２に示す第４変形例に示すように行なわれる。これによって、同軸ケーブル１１１５の信号線はアンテナ装置１１１４のエレメントパターンに接続され、同軸ケーブル１１１５のＧＮＤ線がアンテナ装置１１４のＧＮＤパターンに接続される。
【００７５】
本実装例によれば、アンテナ装置１１１４は筐体１１１１に一体に装着されるため、アンテナ装置１１１４を実装するためのスペースを確保する必要がなくなり、電子機器１１００を小型化することが可能となる。
【００７６】
〔第２実装例〕
図２１は第１実装例の分解斜視図、図２２は第２実装例の要部の断面図を示す。同図中、図１９、図２０と同一構成部分には同一符号を付し、その説明は省略する。
【００７７】
本実装例の電子機器１２００は、回路基板１１１３及びアンテナ装置１１１４と、同軸ケーブル１１１５とをコネクタ１２１１、１２１２により接続した構成とされている。
【００７８】
回路基板１１１３及びアンテナ装置１１１４には、ソケットコネクタ１２１１が搭載されている。同軸ケーブル１１１５の両端には、プラグコネクタ１２１２が取り付けられている。同軸ケーブル１１１５のプラグコネクタ１２１２を回路基板１１１３及びアンテナ装置１１１４のソケットコネクタ１２１１に結合することにより、回路基板１１１３とアンテナ装置１１１４とが同軸ケーブル１１１５を介して接続される。
【００７９】
本実装例によれば、同軸ケーブル１１１５と、回路基板１１１３及びアンテナ装置１１１４との接続が容易に行なえる。
【００８０】
なお、本実装例では、回路基板１１１３と同軸ケーブル１１１５との接続、及び、アンテナ装置１１１４と同軸ケーブル１１１５との接続の両方をコネクタで行なったが、いずれか一方のみをコネクタで接続するようにしてもよい。
【００８１】
なお、本実装例では、表面実装型のコネクタを使用したが、これに限定されるものではなく、例えば、エッジ実装型のコネクタなど他のコネクタであってもよく、要はケーブルが容易に接続可能なものであればよい。
【００８２】
〔第３実装例〕
図２３は第３実装例の分解斜視図、図２４は第３実装例の要部の断面図を示す。同図中、図２１、図２２と同一構成部分には同一符号を付し、その説明は省略する。
【００８３】
本実装例の電子機器１３００は、回路基板１１１３とアンテナ装置１１１４とをコネクタ１３１１、１３１２により直接接続する構成とされている。
【００８４】
ソケットコネクタ１３１１は、回路基板１１１３に搭載され、プラグコネクタ１３１２は、アンテナ装置１１１４に搭載されている。ソケットコネクタ１４１１とプラグコネクタ１４１２とは筐体１１１１と筐体１１１２とを組み付けたときに互いに対向する位置に取り付けられている。
【００８５】
筐体１１１１と筐体１１１２とを組み付けることにより、アンテナ装置１１１４のプラグコネクタ１４１２が回路基板１１１３のソケットコネクタ１３１１に挿入され、回路基板１１１３とアンテナ装置１１１４とが接続される。
【００８６】
本実装例によれば、回路基板１１１３とアンテナ装置１１１４とを直接的に接続できるため、ケーブルが不要となる。また、筐体１１１１と筐体１１１２とを組み付けることにより回路基板１１１３とアンテナ装置１１１４とが接続されるため、接続が容易に行なえる。
【００８７】
〔第４実装例〕
図２５は第４実装例の分解斜視図、図２６は第４実装例の要部の構成図を示す。同図中、図１９、図２０と同一構成部分には同一符号を付し、その説明は省略する。
【００８８】
本実装例の電子機器１４００は、第１実装例の同軸ケーブル１１１５に代えてフレキシブルプリント配線板をリボン状に成形したＦＰＣケーブル１４１１を介してアンテナ装置１１１４と回路基板１１１３とを接続している。ＦＰＣケーブル１４１１は、図２６（Ｂ）に示すようにフレキシブル基板１４１１ａの一方の面上に配線１４１１ｂ、１４１１ｃを形成した構成とされている。配線１４１１ｂはアンテナ装置１１１４のエレメントパターンに接続され、配線１４１１ｃはアンテナ装置１１１４の接地パターンに接続されている。
【００８９】
なお、このとき、ＦＰＣケーブル１４１１は、回路基板１１１３及びアンテナ装置１１１４に、例えば、図４乃至図８に示すようにして半田付けされる。
【００９０】
なお、本実装例では、回路基板１１１３とＦＰＣケーブル１４１１との接続、及び、アンテナ装置１１１４とＦＰＣケーブル１３１１とを半田付けにより行なっているが、回路基板１１１３及びアンテナ装置１１１４にコネクタを設け、コネクタにＦＰＣケーブル１３１１の端部を挿入することにより、接続を図るようにしてもよい。
【００９１】
〔第５実装例〕
図２７は第５実装例の分解斜視図、図２８は第５実装例の要部の構成図を示す。同図中、図２５、図２６と同一構成部分には同一符号を付し、その説明は省略する。
【００９２】
本実装例の電子機器１５００は、アンテナ装置１１１４に一体にケーブル部１５１１が形成されている。ケーブル部１５１１は、アンテナ装置１１１４を構成するフレキシブルプリント配線板をケーブル状に延長した構成されている。ケーブル部１５１１は、信号ケーブル１５１１ａ及び接地ケーブル１５１１ｂから構成されている。信号ケーブル１５１１ａの先端は図２６（Ｂ）に示されるように回路基板１１１３のアンテナ接続パターン１５２１に半田付けされる。また、接地ケーブル１５１１ｂは図２６（Ｂ）に示されるように表裏が反転するように変形した後に、回路基板１１１３の接地パターン１５２２に半田付けされる。
【００９３】
〔第６実装例〕
図２９は第６実装例の断面図、図３０は第６実装例の要部の斜視図を示す。同図中、図２５、図２６と同一構成部分には同一符号を付し、その説明は省略する。
【００９４】
本実装例の電子機器１６００は、ＦＰＣケーブル１４１１の先端と回路基板１１１３のアンテナ接続パターン１６２１及び接地パターン１６２２との間に異方性導電ゴム１６３１を介在させ、筐体１１１１、１１１２の組み付け時に、バネ１６３２によりＦＰＣケーブル１４１１の先端を回路基板１１１３方向、矢印Ｚ２方向に押圧することにより、アンテナ装置１１１４と回路基板１１１３との接続を行なっている。このとき、ＦＰＣケーブル１４１１は、一方の面に、矢印Ｚ２方向側の面に配線パターン１４１１を有するように配置されている。
なお、異方性導電ゴム１６２１は、図３０に示すように矢印Ｘ１、Ｘ２方向に導電体１６３１ａと絶縁体１６３１ｂとを積層したものであり、矢印Ｚ１、Ｚ２方向に導電性を有し、矢印Ｘ１、Ｘ２方向には導電性を持たないように構成したものである。
【００９５】
筐体１１１１のアンテナ接続パターン１６２１及び接地パターン１６２２に対応する位置には、バネ１６３２が配置されている。
【００９６】
本実装例によれば、ＦＰＣケーブル１４１１のパターンと、回路基板１１１３のアンテナ接続パターン１６２１及び接地パターン１６２２とを一致させ、筐体１１１１と筐体１１１２とを組み付けることにより、ＦＰＣケーブル１４１１の先端部分がバネ１６３２により回路基板１１１３方向に押圧され、異方性導電ゴム１６３１によりＦＰＣケーブル１６１１とアンテナ接続パターン１６２１及び接地パターン１６２２との接続が行なわれる。よって、接続を容易に行なえる。
【００９７】
〔第７実装例〕
図３１は第７実装例の分解斜視図、図３２は第７実装例の要部の断面図を示す。同図中、図２９、図３０と同一構成部分には同一符号を付し、その説明は省略する。
【００９８】
本実装例の電子機器１７００は、ＦＰＣケーブル１４１１の先端と回路基板１１１３のアンテナ接続パターン１６２１及び接地パターン１６２２との間に異方性導電膜１７１１を介在させ、矢印Ｚ２方向に熱圧着を行なうことにより、アンテナ装置１１１４と回路基板１１１３との接続を行なっている。なお、異方性導電膜１７１１は、熱硬化樹脂に導電性粒子を配合したものであり、熱圧着することにより、図３２（Ｂ）に示すようにアンテナ接続パターン１６２１とＦＰＣケーブル１４１１の配線１４１１ｂとの間に導電性粒子が介在し、かつ、接地パターン１６２２とＦＰＣケーブル１４１１の配線１４１１ｃとの間に導電性粒子が介在することにより、圧着された方向、矢印Ｚ１、Ｚ２方向に導電性を持つようになる。
【００９９】
本実装例によれば、ケーブル部１３４３のパターンと、回路基板１１１３のアンテナ接続パターン１５１１とを一致させ、熱圧着することによりケーブル部１３４３と回路基板１１１３との接続が可能となり、よって、接続を容易に行なえる。
【０１００】
〔第８実装例〕
図３３は第８実装例の分解斜視図、図３４は第８実装例の要部の断面図を示す。同図中、図３１、図３２と同一構成部分には同一符号を付し、その説明は省略する。
【０１０１】
本実装例の電子機器１８００は、回路基板１１１３のアンテナ接続パターン１６２１にバネ接点部材１８１１を半田付けし、筐体１１１１、１１１２の組み付け時に、ＦＰＣケーブル１４１１の先端を筐体１１１１に設けられた凸部１８１２によりバネ接点部材１８１１に押し付けることにより、アンテナ装置１１１４と回路基板１１１３との接続を図っている。なお、バネ接点部材１８１１は、アンテナ接続パターン１６２１にかしめ、圧着などにより接続してもよい。
【０１０２】
本実装例によれば、筐体１１１１を筐体１１１２に組み付けることによりケーブル部１３４３を回路基板１１１３に接続が可能となり、接続を容易に行なえる。
【０１０３】
〔第９実装例〕
図３５は第９実装例の断面図、図３６は第９実装例の要部の斜視図を示す。同図中、図２９、図３０と同一構成部分には同一符号を付し、その説明は省略する。
【０１０４】
本実装例の電子機器１９００は、アンテナ装置１１１４に一体にケーブル部１９１１が形成されている。ケーブル部１９１１は、アンテナ装置１１１４を構成するフレキシブルプリント配線板１１１４ａをケーブル状に延長した構成されており、一面、矢印Ｚ２方向側の面に、エレメントパターンに接続された配線１９１１ａが形成されており、他面、矢印Ｚ１方向側の面に、エレメントパターンに接続された配線１９１１ｂが形成されている。なお、アンテナ装置１１１４は、矢印Ｚ１方向側の面に接地パターンが形成されており、矢印Ｚ２方向側の面にエレメントパターン１１４ｃが形成されている。
【０１０５】
また、回路基板１１１３には、アンテナ接続パターン１９２１が形成されている。筐体１１１１には、アンテナ接続パターン１９２１に対向する位置にバネ１９３１が固定されている。バネ１９３１は、ケーブル１９４１などにより回路基板１１１３の接地パターンに接続されている。
【０１０６】
バネ１９３１と回路基板１１１３のアンテナ接続パターン１９２１との間にケーブル部１９１１を挟むことにより、エレメントパターン１１１４ｃに接続された配線１９１１ａがアンテナ接続パターン１９２１に接続され、接地パターン１１１４ｂに接続された配線１９１１ｂがバネ１９３１に接続され接地される。
【０１０７】
〔第１０実装例〕
図３７は第１０実装例の分解斜視図、図３８は第１０実装例の要部の断面図を示す。同図中、図１９、図２０と同一構成部分には同一符号を付し、その説明は省略する。
【０１０８】
本実施例の電子機器２０００は、アンテナパターン２０１１を筐体１１１１の表面に直接に描画した構成とされている。筐体１１１１は、所定の誘電率の誘電体から構成されている。アンテナパターン２０１１は、エレメントパターン２０１１ａ及び接地パターン２０１１ｂから構成され、金属板を筐体１１１１の成形時にインサートモールド成形したり、筐体１１１１の成形後にメッキ、導電性ペーストによる印刷、スパッタリング、蒸着などによる成膜、或いは、ラミネートなどにより形成されている。
【０１０９】
エレメントパターン２０１１ａと接地パターン２０１１ｂとはアンテナ装置１１１４と同様な配置となるように筐体１１１１に形成されている。エレメントパターン２０１１ａは筐体１１１１の表面側、矢印Ｚ１方向側の面に形成されており、筐体１１１１の表面側と裏面側とを貫通する貫通孔２０１２を介して裏面側に導入されている。接地パターン１８１１ｂは、筐体１１１１の裏面側に形成されている。
【０１１０】
また、回路基板１１１３には、貫通孔２０１２に対向する位置に接続ピン２０１３が植設されるとともに、接地パターン２０１１ｂに対向する位置に接続バネ２０１３が固着されている。接続ピン２０１３は、回路基板１１１３のアンテナ接続パターンに接続されており、筐体１１１１を組み付け時に貫通孔２０１２に挿入される。接続ピン２０１３は、貫通孔２０１２内で貫通孔２０１２内壁を押圧する。これによって、接続ピン２０１３は、エレメントパターン２０１１ａに接続される。また、接続バネ１８１３は、筐体１１１１を筐体１１１２に組み付けたときに、回路基板１１１３の接地パターンに接続されており、筐体１１１１を組み付けた時に接地パターン２０１１ｂに接続される。
【０１１１】
本実装例によれば、筐体１１１１を回路基板１１１３を内蔵して筐体１１１１に組み付けることにより、アンテナパターン２０１１を回路基板１１１３に接続することが可能となるため、接続を容易に行なえる。
【０１１２】
なお、エレメントパターン２０１１ａ及び接地パターン２０１１ｂの形状は、得ようとする特性及び筐体１１１１の誘電率などに基づいて決定されている。
【０１１３】
また、アンテナパターン２０１１の成形は、インサートモールド成形、メッキに限定されるものではなく、他に、例えば、インモールド成形、ホットスタンプ成形などであってもよい。
【０１１４】
インモールド成形は、アンテナパターン２０１１が金属蒸着などによって形成されたインモールド用フィルムを金型底面に装着した後に筐体１１１１をモールド成形することにより、筐体１１１１の表面にアンテナパターン２０１１を筐体１１１１と一体に成形する成形技術である。
【０１１５】
〔第１１実装例〕
図３９は第１１実装例の分解斜視図、図４０は第１１実装例の要部の断面図を示す。同図中、図３７、図３８と同一構成部分には同一符号を付し、その説明は省略する。
【０１１６】
本実装例の電子機器２１００は、筐体１１１１の表面に形成されたエレメントパターン２０１１ａ上に保護膜２１１１が形成された構成とされている。なお、保護膜２１１１は、筐体１１１１の表面側全面に渡って形成するようにしてもよい。
【０１１７】
エレメントパターン２０１１ａは、貫通孔２０１２を通って筐体１１１１の裏面側に回り込んで形成されている。保護膜２１１１は貫通孔２０１２の内部にも形成されるため、本実装例では接続ピン２０１３に代えて接続バネ２１１２によりアンテナパターン２０１１ａと接続する。接続バネ２１１２は回路基板１１１３のアンテナ接続パターンに半田付けされており、筐体１１１１を筐体１１１２に組み付けたときに、筐体１１１１の裏面により押圧されて弾性変形して、エレメントパターン２０１１ａに接触する。
【０１１８】
〔第１２実装例〕
図４１は第１２実装例の分解斜視図、図４２は第１３実装例の要部の断面図を示す。同図中、図３７、図３８と同一構成部分には同一符号を付し、その説明は省略する。
【０１１９】
本実施例の電子機器２２００は、筐体２２１１が筐体本体２２１２及びカバー２２１３から構成されている。筐体本体２２１２とカバー２２１３との間には収納部２２２１が形成される。収納部２２２１には、例えば、電池パックなどが収納される。
【０１２０】
アンテナパターン２０１１はカバー２１１３に直接に描画した構成とされている。
【０１２１】
エレメントパターン２０１１ａと接地パターン２０１１ｂとはアンテナ装置１１１４と同様な配置となるようにカバー２１１３に形成されている。エレメントパターン２０１１ａはカバー２２１３の表面側、矢印Ｚ１方向側の面に形成されており、カバー２２１３の端面に導入されている。接地パターン１８１１ｂは、カバー２２１３の裏面側、矢印Ｚ２方向側の面に形成されている。
【０１２２】
また、回路基板１１１３には、カバー２２１３の端面に対向する位置に接続バネ２２２１が植設されるとともに、接地パターン２０１１ｂに対向する位置に接続バネ２２２２が植設されている。接続バネ２２２１は、回路基板１１１３のアンテナ接続パターンに接続されており、カバー２２１３を組み付け時に筐体本体２２１２とカバー２２１３との間に挿入される。接続バネ２２２１は、カバー２２１３の端面でエレメントパターン２０１１ａに接触する。これによって、エレメントパターン２０１１ａが回路基板１１１３に接続される。
【０１２３】
また、接続バネ２２２２は、カバー２２１３を筐体本体２２１２に組み付けたときに、回路基板１１１３の接地パターン２０１１ｂに接続される。これによって、接地パターン２０１１ｂが回路基板１１１３に接続される。
【０１２４】
なお、第１１実装例のようにエレメントパターン２０１１ａについてもカバー２２１３の裏面側で接続バネによって回路基板１１１３に接続するようにしてもよい。さらに、第１１実装例のようにエレメントパターン２０１１ａ上に保護膜を設けるようにしてもよい。
【０１２５】
〔その他〕
なお、上記実装例では、アンテナ装置をフレキシブルプリント配線板上に導電パターンによりエレメントパターン及びグランドパターンを形成した場合について説明したが、これに限定されるものではなく、セラミック基板やエポキシ樹脂基板などに導電パターンによりエレメントパターン及びグランドパターンを形成したアンテナ装置に対しても同様な実装方法が適用できることは言うまでもない。
【０１２６】
また、本実装例では、筐体１１１１又はカバー２２１３の平面部分にアンテナ装置を搭載した構成について説明しているが、アンテナ装置をフレキシブル配線基板上、あるいは、筐体１１１１又はカバー２２１３に直接印刷する場合には、図４３（Ａ）に示すように筐体１１１１の曲面部分にアンテナ装置１１１４を貼付したり、図４３（Ｂ）に示すように筐体１１１１の曲面部分にアンテナ装置１１１４をインサートモールド成形したり、するようにしてもよい。また、曲面部分と平面部分とにまたがって形成するようにしてもよい。
【０１２７】
さらに、上記実装例では、誘電体の両面にパターンを形成したマイクロストリップタイプのＵＷＢアンテナに適用した例について説明したが、図４４に示すように誘電体基板３１１１の片面に導電パターンによりエレメントパターン３１１２、伝送ライン３１１３、接地パターン３１１４を形成したコプレナウェーブガイドタイプのＵＷＢアンテナ装置、図４５に示すように誘電体基板３２１１の片面にエレメントパターン３２１２、３２１３を形成したダイポールタイプのアンテナ装置、図４６に示すような誘電体基板３３１１上にチップアンテナ３３１２とマイクロストリップライン３３１３、接地パターン３３１４を形成したアンテナ装置などにも同様に適用可能であることは言うまでもない。さらには、チップアンテナであってもよい。
【０１２８】
このとき、特に、図４４、図４５に示すようなアンテナ装置はプリント配線基板の片面に導電パターンが形成されているため、第４、第６乃至第９実装例で説明したような実装方法を容易に取ることが可能となる。図４６に示すようなチップアンテナとマイクロストリップラインとから構成されたアンテナにおいても片面にのみ導電パターンを設ける構成とすれば、第４、第６乃至第９実装例で説明したような実装方法を容易に取ることが可能となる。
【０１２９】
さらに、上記実装例では、アンテナ装置１１１４を筐体１１１１の内部にインサートモールドしたが、図４７（Ａ）に示すように表面側あるいは図４７（Ｂ）に示すように裏面側に表出するように筐体１１１１の成形時にインサートモールド成形してもよい。アンテナ装置１１１４を表面側あるいは裏面側に表出するように筐体１１１１の成形時にインサートモールド成形することにより、金型の表面にアンテナ装置１１１４を配置すればよいので、アンテナ装置１１１４の金型への設置が容易に行なえる。また、アンテナ装置１１１４を金型中央に保持するためのピンなどを金型に設ける必要がないので、筐体１１１１表面に不要な孔が発生することを防止できる。
【０１３０】
なお、第１０、第１１実装例では、筐体１１１１の表面側にエレメントパターン２０１１ａを形成し、筐体１１１１の裏面側に接地パターン２０１１ｂを形成したが、筐体１１１１の裏面側にエレメントパターン２０１１ａを形成し、筐体１１１１の表面側に接地パターン２０１１ｂを形成するようにしてもよい。
【０１３１】
〔適用例〕
次に本発明のアンテナ装置の適用例を説明する。
【０１３２】
〔第１適用例〕
図４８は本発明のアンテナ装置の第１適用例のシステム構成図を示す。
【０１３３】
本適用例のシステム１２００は、ディジタルカメラ１２０１、プリンタ１２０２から構成されている。
【０１３４】
ディジタルカメラ１２０１とプリンタ１２０２とは、ＵＷＢなどの超広帯域帯無線通信によりデータの通信が可能な構成とされており、上記構成のＵＷＢアンテナ装置が搭載されている。
【０１３５】
〔ディジタルカメラ１２０１〕
図４９はディジタルカメラ１２０１の構成図を示す。
【０１３６】
ディジタルカメラ１２０１は、筐体１２１１、フラッシュ１２１２、アンテナ装置１２１３、回路基板１２１４、ＣＣＤ１２１５、光学系１２１６、液晶パネル１２１７、シャッタボタン１２１８、電池１２１９、ケーブル１２２０、電池カバー１２２１から構成とされている。
【０１３７】
筐体１２１１は、金属などから構成されており、フロントケース１２１１ａ及びバックケース１２１１ｂから構成されている。フロントケース１２１１ａには、フラッシュ１２１２及び光学系１２１６が取り付けられている。
【０１３８】
フラッシュ１２１２は、ケーブル１２２０を介して回路基板１２１４に接続されており、回路基板１２１４からの駆動信号により発光する。また、光学系１２１６は、ケーブル１２２０を介して回路基板１２１４に接続されており、回路基板１２１４からの制御信号によりシャッタ、フォーカス、絞りなどが制御される。
【０１３９】
図５０はディジタルカメラ１２０１の要部の分解斜視図を示す。
【０１４０】
フラッシュ１２１２は、反射部１２３１、ストロボ放電管１２３２、レンズ部１２３３から構成され、筐体１２１１の開口部に配置されている。反射部１２３１は、前面が凹面状に形成されている。アンテナ装置１２１３は高反射率の導電材からなるアンテナ素子パターン及び接地パターンをＰＥＴ、ＦＲ４などからなるフレキシブル基板に形成した構成とされており、反射部１２３１の前面の凹面に沿って装着される。
【０１４１】
アンテナ装置１２１３は回路基板１２１４に接続されて、プリンタ１２０２とのデータの通信に用いられるとともに、反射鏡として作用する。
【０１４２】
ストロボ放電管１２３２は、アンテナ装置１２１３の前方に取り付けられ、回路基板１２１４から供給される駆動信号によって、発光する。ストロボ放電管１２３２から出射された光は、アンテナ装置１２１３によって反射されて、反射部１２３１の開口面から出射される。反射部１２３１の開口面には、レンズ部１２３３が設けられている。
【０１４３】
レンズ部１２３３はガラスや透明樹脂などから構成されており、ストロボ放電管１２３２及びアンテナ装置１２１３から供給された光を集光又は拡散させて、外部に出射させる。
【０１４４】
本適用例によれば、アンテナ装置１２１３を筐体１２１１の金属以外の開口部であるフラッシュ１２１２に一体に装着することにより、アンテナ装置１２１３をデータの通信及びストロボ放電管１２３２の反射鏡として作用させることが可能となる。
【０１４５】
なお、上記適用例では、フラッシュ１２１２の反射面にアンテナ装置１２１３を装着した構成としたが、液晶パネル１２１７の裏面に装着するようにしてもよい。
【０１４６】
図５１、図５２はディジタルカメラ１２０１の変形例の要部の構成図を示す。
【０１４７】
本変形例では、液晶パネル１２１７の裏面にアンテナ装置１２１３が設けられる。このとき、アンテナ装置１２１３のアンテナ素子パターン及び接地パターンが液晶パネル１２１７に映り込まないようにするために、図５１に示すように液晶パネル１２１７とアンテナ装置１２１３との間にフィルム１２４１を介在させる。フィルム１２４１は、遮光性を有する材料で構成されている。また、フィルム１２４１は、アンテナ装置１２１３側の面が黒色とされており、液晶パネル１２１７側の面が白色とされている。これによって、アンテナ装置１２１３のアンテナ素子パターン及び接地パターンがフィルム１２３１を透過することを防止でき、また、液晶パネル１２１７のバックライトから裏面側に漏れた光を液晶パネル１２１７の裏面側に戻して、バックライトの効率を向上させることができる。
【０１４８】
さらに、図５２に示すようにアンテナ装置１２１３を黒色に着色することにより、さらに、アンテナ装置１２１３のアンテナ素子パターン及び接地パターンがフィルム１２４１の液晶パネル１２１７側への透過の防止をさらに強化することができる。
【０１４９】
また、本実施例では、液晶パネル１２１７の裏面にアンテナ装置１２１３を配置するようにしたが、液晶パネル１２１７の表面に透明導電膜によってアンテナ素子パターン及び接地パターンを形成するようにしてもよい。
【０１５０】
〔プリンタ１２０２〕
図５３はプリンタ１２０２の構成図、図５４はプリンタ１２０２のブロック構成図、図５５はプリンタ１２０２の変形例の構成図を示す。
【０１５１】
プリンタ１２０２は、スキャナ機能付きプリンタであり、アンテナ装置１２５１、通信部１２５２、制御部１２５３、プリント部１２５４、スキャナ部１２５５、インタフェース１２５６、操作部１２５７から構成されている。
【０１５２】
アンテナ装置１２５１及び通信部１２５２によりディジタルカメラ１２０１とＵＷＢ通信が可能とされており、例えば、ディジタルカメラ１２０１から画像データを受信して、制御部１２５３によりプリント部１２５４を制御して、画像データのプリントを実行する。アンテナ装置１２５１は、例えば、プリンタ１２０２の原稿あるは用紙トレイ１２６１の上部に、図１９〜図４７に示すような実装方法によって実装されている。図５５に示すように筐体１２６２の前面に図１９〜図４７に示すような実装方法によって実装される。
【０１５３】
スキャナ部１２５５は原稿を読み取り、読み取った原稿の画像データを制御部１２４３からインタフェース１２５６を介してコンピュータなどに供給する。また、読み取った原稿の画像データを制御部１２５３から通信部１２５２、アンテナ装置１２５１を介してコンピュータなどに送信する。
【０１５４】
〔第２適用例〕
図５６は本発明のアンテナ装置の第２適用例のシステム構成図を示す。同図中、図４８と同一構成部分には同一符号を付し、その説明は省略する。
【０１５５】
本適用例のシステム１３００は、ディジタルカメラ１３０１をクレードル１３０２に搭載して充電を行なうとともに、クレードル１３０２を介して外部機器１３０３とのデータ通信を行うシステムである。クレードル１３０２には、交流電源からＡＣアダプタ１３０４を介して電源が供給されている。
【０１５６】
図５７はクレードル１３０２のブロック構成図を示す。
【０１５７】
クレードル１３０２は、図５７に示すようにインタフェース部１３１１、通信部１３１２、アンテナ装置１３１３、電源回路１３１４から構成されている。
【０１５８】
インタフェース部１３１１は、コネクタ１３１５を介してディジタルカメラ１３０１と接続され、ディジタルカメラ１３０１と通信装置１３１２とのインタフェースをとる。通信装置１３１２は、アンテナ装置１３１３を介してプリンタ１２０２などとの通信を行う。
【０１５９】
アンテナ装置１３１３は、クレードル１３０２の筐体１３２１に、例えば、図１９〜図４７に示すような実装方法によって実装されている。
【０１６０】
また、電源回路１３１４は、ＡＣアダプタ１３０３からの直流電源によりインタフェース１３１２、コネクタ１３１５を介してディジタルカメラ１３０１に充電を行なう。
【０１６１】
〔第３適用例〕
図５８は本発明のアンテナ装置の第３適用例のシステム構成図を示す。同図中、図５６と同一構成部分には同一符号を付し、その説明は省略する。
【０１６２】
本適用例のシステム１４００は、ディジタルカメラ１３０１を三脚１４０１に搭載して三脚１４０１の表面に貼付されたアンテナ装置１３１３によりディジタルカメラ１３０１とプリンタ、リモコンなどの外部装置１３０３との通信を可能とされている。
【０１６３】
三脚１４０１は、台座部１４２１及び脚部１４２２から構成されている。脚部１４２２は、台座部１４２１の下部から下方の3方向に延出している。脚部１４２２は、例えば、伸縮可能にされている。また、台座部１４２１の上面からはディジタルカメラ１３０１を台座部１４２１に固定するためのねじ部１４２３が延出している。ねじ部１４２３をディジタルカメラ１３０１の下面に設けられたねじ孔に螺入することによりディジタルカメラ１３０１が台座部１４２１に固定される。このとき、台座部１４２１の上面には、コネクタ１３１５が設けられており、コネクタ１３１５は、ディジタルカメラ１３０１のコネクタに結合する。
【０１６４】
このコネクタ１３１５を介してディジタルカメラ１３０１との通信及び電源供給を行う。
【０１６５】
図５９は三脚１４０１のブロック構成図を示す。
【０１６６】
三脚１４０１の台座部１４２１には、インタフェース部１３１１、通信部１３１２、アンテナ装置１３１３、電池１４１１が内蔵されている。電池１４１１によりインタフェース部１３１１、通信部１３１２が駆動される。アンテナ装置１３１３は、三脚１４０１の台座部１４２１の表面に、例えば、図１９〜図４７に示すような実装方法によって実装されている。
【０１６７】
〔第４適用例〕
図６０は本発明のアンテナ装置の第４適用例のシステム構成図を示す。同図中、図５３と同一構成部分には同一符号を付し、その説明は省略する。
【０１６８】
本適用例のシステム１５００は、ビデオカメラ１５０１、映像機器１５０２から構成されており、ビデオカメラ１５０１と映像機器１５０２とは、ＵＷＢなどの超広帯域帯無線通信によりデータの通信が可能な構成とされており、上記構成のＵＷＢアンテナ装置が搭載されている。
【０１６９】
図６１はビデオカメラ１５０２のブロック構成図を示す。
【０１７０】
ビデオカメラ１５０１は、ビデオカメラ本体１５０５及びキャップ１５０６から構成されており、光学系１５１１、ＣＣＤ１５１２、画像処理部１５１３、液晶パネル１５１４、制御部１５１５、記録部１５１６、通信部１５１７、アンテナ装置１５１８、ソケット１５１９、１５２０、インタフェース部１５２１、チューナ１５２２、操作部１５２３を含む構成とされている。
【０１７１】
被写体の映像は光学系１５１１を通ってＣＣＤ１５１２に供給され、ＣＣＤ１５１２で映像信号に変換される。ＣＣＤ１５１２で変換された映像信号は画像処理部１５１３で画像処理されて制御部１５１５を通って記録部１５１６に供給され、記録媒体に記録される。また、通信部１５１７及びアンテナ装置１５１８、又は、インタフェース部１５２１を介して映像機器１５０２に送信される。アンテナ装置１５１８は、光学系１５１１を保護するキャップ１５３１に装着されている。
【０１７２】
図６２はキャップ１５３１の構成図を示す。
【０１７３】
キャップ１５３１は、キャップ部１５４１及び係止部１５４２、ストラップ部１５４３から構成されている。アンテナ装置１５１８は、キャップ部１５４１の底面に貼付あるいは、例えば、図１９〜図４７に示すような実装方法によって実装されている。
【０１７４】
係止部１５４２は、キャップ部１５４１の内側に設けられ、キャップ部１５４１を光学系１５１１に係止する。ストラップ部１５４３は、同軸ケーブル１５５１及びテレビアンテナライン１５５２から構成されている。
【０１７５】
アンテナ装置１５１８は、同軸ケーブル１５５１の一端に接続されている。同軸ケーブル１５５１の他端には、プラグ１５６１が接続されている。テレビアンテナライン１５５２は、ＶＨＦ、ＵＨＦ帯の略λ／４に応じた長さの導電線から構成されており、一端には、プラグ１５５３が接続されている。プラグ１５６１、１５６２は、ビデオカメラ本体１５１０に設けられたソケット１５１９、ソケット１５２０に接続される。
【０１７６】
これによって、キャップ１５０６がビデオカメラ本体１５０５に係止される。また、アンテナ装置１５１８が同軸ケーブル１５５１、ソケット１５１９を介して通信部１５１７に接続される。また、テレビアンテナライン１５５２がソケット１５２０を介してチューナ１５２２に接続される。テレビアンテナライン１５５２及びチューナ１５２２により受信されたテレビ放送は、制御部１５１５、画像処理部１５１３を介しては液晶パネル１５１４に表示される。
【０１７７】
このとき、プラグ１５６１、１５６２を、ロック機構を用いてビデオカメラ本体１５０５にロックさせることにより、キャップ１５０６のビデオカメラ本体１５０５からの離脱を防止できる。
【０１７８】
〔第５適用例〕
図６３は本発明のアンテナ装置の第５適用例の構成図、図６４は携帯電話１６０１のブロック構成図を示す。
【０１７９】
本適用例は、携帯電話１６０１に本発明のアンテナ装置を搭載する場合の適用例を示す。
【０１８０】
携帯電話１６０１には、ＵＷＢなどの超広帯域帯無線通信によりデータの通信が可能な構成とされており、上記構成のＵＷＢアンテナ装置が搭載されている。
【０１８１】
携帯電話１６０１は、携帯電話本体１６１１及びストラップ１６１２から構成されている。携帯電話本体１６１１は、電話部１６２１、カメラ部１６２２、電話通信部１６２３、制御部１６２４、操作部１６２５、ＵＷＢ通信部１６２６、ソケット１６２７から構成されている。電話部１６２１は、マイクロフォン、スピーカ、音声処理手段などを内蔵しており、電話の機能を実現する。カメラ部１６２２は、ＣＣＤ、画像処理手段などを内蔵しており、カメラの機能を実現している。
【０１８２】
電話通信部１６２３は、携帯電話網との通信を行う。制御部１６２４は操作部１６２５
の操作に応じて各部の動作を制御する。ＵＷＢ通信部１６２６は、ソケット１６２７に接続されるストラップ１６１２とともに、ＵＷＢ通信を行う。
【０１８３】
図６３に示すようにストラップ１６１２は、アンテナ部１６３１及びストラップ部１６３２から構成されている。
【０１８４】
アンテナ部１６３１は、アンテナ装置１６４１を樹脂封止した構成とされている。アンテナ装置１６４１は、例えば、図４に示すような構成とされている。アンテナ装置１６４１はストラップ部１６３２に接続されている。ストラップ部１６３２は、同軸ケーブルから構成されており、先端には、プラグ１６５１が設けられている。プラグ１６５１は、携帯電話本体１６１１に設けられたソケット１６２７に接続される。これによって、ストラップ１６１２が携帯電話本体１６１１に係止される。また、アンテナ装置１６４１がＵＷＢ通信部１６２６に接続される。なお、プラグ１６５１とソケット１６２７との係合力は十分に大きく設定されており、ストラップ１６１２が携帯電話本体１６１１から容易に脱落することはない。
【０１８５】
なお、プラグ１６５１のソケット１６２７からの脱落を防止するために、ロック機構を設けるようにしてもよい。
【０１８６】
〔その他〕
図６５、図６６は特性インピーダンスを５０Ωとするための基板の厚さに対するストリップライン１４３の線幅の関係を示す図である。
【０１８７】
ここでは、図６５（Ａ）に示すようにεｒは基板の誘電率、ｈは厚さ、ｗはストリップラインの幅を示している。このときに、図６５（Ｂ）、図６６に示すように基板をＦＲ−４で構成した場合、厚さを０．０１〜１ｍｍの間で変化させたとき特性インピーダンス５０Ωを得るためにはパターン幅を０．１２〜１．８６ｍｍにする必要があることがわかる。また、基板をＰＩ樹脂により構成したときには、パターン幅を０．１７〜２．０７ｍｍにする必要がある。さらに、基板をＰＥＴ樹脂により構成したときには、パターン幅を０．１８〜２．４５ｍｍにする必要がある。
【０１８８】
以上のように、特性インピーダンスを５０Ωにするためには、基板の材質及び厚さに応じてストリップライン１４３の線幅を図６５（Ｂ）、図６６に示す関係に基づいて決定すればよい。
【図面の簡単な説明】
【０１８９】
【図１】従来のアンテナ装置の一例の構成図である。
【図２】従来のアンテナ装置の一例のブロック構成図である。
【図３】本発明の一実施例のシステム構成図である。
【図４】アンテナ部１１１の斜視図である。
【図５】アンテナ部１１１の第１変形例の斜視図である。
【図６】接続状態を説明するための図である。
【図７】アンテナ部１１１の第２変形例の斜視図である。
【図８】第２変形例の接続状態を説明するための図である。
【図９】アンテナ部１１１の第３変形例の斜視図である。
【図１０】第３変形例の接続状態を説明するための図である。
【図１１】アンテナ部１１１の第４変形例の斜視図である。
【図１２】第４変形例の接続状態を説明するための図である。
【図１３】プリント配線板１２１の構成図である。
【図１４】本発明の一実施例のアンテナ装置の適用例のシステム構成図である。
【図１５】キーボード７１２の構成図である。
【図１６】アンテナ装置１１１の実装状態を示す図である。
【図１７】マウス７１３の構成図である。
【図１８】ダイポールタイプのアンテナ装置の構成図である。
【図１９】第１実装例の分解斜視図である。
【図２０】第１実装例の断面図である。
【図２１】第２実装例の分解斜視図である。
【図２２】第２実装例の要部の断面図である。
【図２３】第３実装例の分解斜視図である。
【図２４】第３実装例の要部の断面図である。
【図２５】第４実装例の分解斜視図である。
【図２６】第４実装例の要部の構成図である。
【図２７】第５実装例の分解斜視図である。
【図２８】第５実装例の要部の構成図である。
【図２９】第６実装例の断面図である。
【図３０】第６実装例の要部の斜視図である。
【図３１】第７実装例の分解斜視図である。
【図３２】第７実装例の要部の断面図である。
【図３３】第８実装例の分解斜視図である。
【図３４】第８実装例の要部の構成図である。
【図３５】第９実装例の断面図である。
【図３６】第９実装例の要部の斜視図である。
【図３７】第１０実装例の分解斜視図である。
【図３８】第１０実装例の要部の断面図である。
【図３９】第１１実装例の分解斜視図である。
【図４０】第１１実装例の分解斜視図である。
【図４１】第１２実装例の分解斜視図である。
【図４２】第１３実装例の要部の断面図である。
【図４３】アンテナ装置１１１４の筐体への他の実装方法を説明するための図である。
【図４４】誘電体の片面にパターンが形成されたコプレナウェーブガイドタイプのＵＷＢアンテナ装置を示す図である。
【図４５】ダイポールタイプのアンテナ装置を示す図である。
【図４６】チップアンテナとマイクロストリップラインとから構成されたアンテナ装置を示す図である。
【図４７】アンテナ装置１１１４の筐体１１１１への他の実装方法を説明するための図である。
【図４８】本発明のアンテナ装置の第１適用例のシステム構成図である。
【図４９】ディジタルカメラ１２０１の構成図である。
【図５０】ディジタルカメラ１２０１の要部の分解斜視図である。
【図５１】ディジタルカメラ１２０１の変形例の要部の構成図である。
【図５２】ディジタルカメラ１２０１の変形例の要部の構成図である。
【図５３】プリンタ１２０２の構成図である。
【図５４】プリンタ１２０２のブロック構成図である。
【図５５】プリンタ１２０２の変形例の構成図である。
【図５６】本発明のアンテナ装置の第２適用例のシステム構成図である。
【図５７】クレードル１３０２のブロック構成図である。
【図５８】本発明のアンテナ装置の第３適用例のシステム構成図である。
【図５９】三脚１４０１のブロック構成図である。
【図６０】本発明のアンテナ装置の第４適用例のシステム構成図である。
【図６１】ビデオカメラ１５０２のブロック構成図である。
【図６２】キャップ１５３１の構成図である。
【図６３】本発明のアンテナ装置の第５適用例の構成図である。
【図６４】携帯電話１６０１のブロック構成図である。
【図６５】特性インピーダンスを５０Ωとするための基板の厚さに対するストリップライン１４３の線幅の関係を示す図である。
【図６６】特性インピーダンスを５０Ωとするための基板の厚さに対するストリップライン１４３の線幅の関係を示す図である。
【符号の説明】
【０１９０】
１００  アンテナ装置
１１１、２１１、３１１、４１１、５１１  アンテナ装置
１２１  フレキシブルプリント配線板、１２２  配線パターン
１４１  エレメントパターン、１４２  グランドパターン、１４３  ストリップライン
１５１  接続部、１５２、１５３  接続パッド
１１００、１２００、１３００、１４００、１５００、１６００、１７００、１８００、１９００、２０００、２１００、２２００  電子機器
１１１１、１１１２  筐体、１１１３  回路基板、１１１４  アンテナ装置
【図１】
2008187741.tif 000003
【図２】
2008187741.tif 000004
【図３】
2008187741.tif 000005
【図４】
2008187741.tif 000006
【図５】
2008187741.tif 000007
【図６】
2008187741.tif 000008
【図７】
2008187741.tif 000009
【図８】
2008187741.tif 000010
【図９】
2008187741.tif 000011
【図１０】
2008187741.tif 000012
【図１１】
2008187741.tif 000013
【図１２】
2008187741.tif 000014
【図１３】
2008187741.tif 000015
【図１４】
2008187741.tif 000016
【図１５】
2008187741.tif 000017
【図１６】
2008187741.tif 000018
【図１７】
2008187741.tif 000019
【図１８】
2008187741.tif 000020
【図１９】
2008187741.tif 000021
【図２０】
2008187741.tif 000022
【図２１】
2008187741.tif 000023
【図２２】
2008187741.tif 000024
【図２３】
2008187741.tif 000025
【図２４】
2008187741.tif 000026
【図２５】
2008187741.tif 000027
【図２６】
2008187741.tif 000028
【図２７】
2008187741.tif 000029
【図２８】
2008187741.tif 000030
【図２９】
2008187741.tif 000031
【図３０】
2008187741.tif 000032
【図３１】
2008187741.tif 000033
【図３２】
2008187741.tif 000034
【図３３】
2008187741.tif 000035
【図３４】
2008187741.tif 000036
【図３５】
2008187741.tif 000037
【図３６】
2008187741.tif 000038
【図３７】
2008187741.tif 000039
【図３８】
2008187741.tif 000040
【図３９】
2008187741.tif 000041
【図４０】
2008187741.tif 000042
【図４１】
2008187741.tif 000043
【図４２】
2008187741.tif 000044
【図４３】
2008187741.tif 000045
【図４４】
2008187741.tif 000046
【図４５】
2008187741.tif 000047
【図４６】
2008187741.tif 000048
【図４７】
2008187741.tif 000049
【図４８】
2008187741.tif 000050
【図４９】
2008187741.tif 000051
【図５０】
2008187741.tif 000052
【図５１】
2008187741.tif 000053
【図５２】
2008187741.tif 000054
【図５３】
2008187741.tif 000055
【図５４】
2008187741.tif 000056
【図５５】
2008187741.tif 000057
【図５６】
2008187741.tif 000058
【図５７】
2008187741.tif 000059
【図５８】
2008187741.tif 000060
【図５９】
2008187741.tif 000061
【図６０】
2008187741.tif 000062
【図６１】
2008187741.tif 000063
【図６２】
2008187741.tif 000064
【図６３】
2008187741.tif 000065
【図６４】
2008187741.tif 000066
【図６５】
2008187741.tif 000067
【図６６】
2008187741.tif 000068